(57)【要約】      （修正有）【課題】音声制御モジュールが交換可能に設置され、ユーザーが発する音声制御指令に対応し光源スイッチをオン又はオフする省電力照明装置を提供する。【解決手段】省電力照明装置は、挿込み溝１１が設けられ、挿込み溝にプリント基板のコネクタが収容される固定部材１０と、固定部材と組み合わさり、且つプリント基板と電気的に接続される光源２０と、連接部３１と、を備える。また、上記装置は、連接部を挿込み溝に挿し込んで、連接部がコネクタと電気的に接続される音声制御モジュール３０と、音声制御モジュールに設置され、且つ音声制御指令を受信し、音声制御指令に対応して感知信号を送信する音声感知ユニット４０と、音声制御モジュールの内部に設置され、且つ音声感知ユニットと、連接部、とにそれぞれ電気的に接続され、感知信号を受信し、且つ感知信号と対応する駆動信号を生成して、光源が駆動信号によって、対応して光源のスイッチをオン或いはオフする駆動制御ユニット５０と、を備える。【選択図】図１
0003186753.tif 000002
【実用新案登録請求の範囲】
【請求項１】
音声制御モジュールを備えた省電力照明装置において、
挿込み溝が設けられ、前記挿込み溝にプリント基板のコネクタが収容される固定部材と、
前記固定部材と組み合わさり、且つ前記プリント基板と電気的に接続される光源と、
連接部を備え、前記連接部を前記挿込み溝に挿し込んで、前記連接部が前記コネクタと電気的に接続される音声制御モジュールと、
前記音声制御モジュールに設置され、且つ音声制御指令を受信し、前記音声制御指令によって、対応する感知信号を送信する音声感知ユニットと、
前記音声制御モジュールの内部に設置され、且つ前記音声感知ユニットと、前記連接部とにそれぞれ電気的に接続され、前記感知信号を受信し、且つ前記感知信号と対応する駆動信号を生成して、前記光源が前記駆動信号によって対応して光源のスイッチをオン或いはオフする駆動制御ユニットと、を備えることを特徴とする、音声制御モジュールを備えた省電力照明装置。 
【請求項２】
前記光源はＬＥＤ照明灯具であり、前記駆動制御ユニットはＬＥＤ駆動制御ＩＣを備え、前記ＬＥＤ駆動制御ＩＣは、前記感知信号における駆動信号を生成し、該駆動信号に対応して前記光源のスイッチをオン或いはオフすることを特徴とする、請求項１に記載の音声制御モジュールを備える省電力照明装置。
【請求項３】
前記音声制御モジュールを備えた省電力照明装置は、回路保護ユニットをさらに備え、前記回路保護ユニットは、前記音声制御モジュールの内部に設置されて、電流の異常、電圧の異常或いは前記光源が過熱した際、前記駆動制御ユニットと前記保護ユニットとの間に短絡が発生することを特徴とする、請求項２に記載の音声制御モジュールを備えた省電力照明装置。
【請求項４】
前記駆動制御ユニットはＬＥＤ駆動制御ＩＣを備え、前記ＬＥＤ駆動制御ＩＣは電流の異常、電圧の異常或いは前記光源が過熱した際、前記駆動制御ユニット及び前記プリント基板との間に短絡が発生することを特徴とする、請求項２に記載の音声制御モジュールを備えた省電力照明装置。
【請求項５】
前記音声感知ユニットは、マイクロホン、増幅器及び前記増幅器と電気的に接続されるマイクロプロセッサを備え、前記マイクロホンは、受信した音声制御指令を入力信号に変更し、前記増幅器は前記マイクロホンと接続されて、前記入力信号を増幅した後前記入力信号をフィルタし、前記マイクロプロセッサは前記増幅器と接続されて、前記入力信号を受信し、且つ前記入力信号に対応する感知信号を送信することを特徴とする、請求項１から４のいずれか一項に記載の音声制御モジュールを備えた省電力照明装置。
【請求項６】
前記省電力照明装置は状態指示ユニットをさらに備え、前記状態指示ユニットは、前記音声制御モジュールに設置され、且つ前記音声感知ユニットと前記駆動制御ユニットとに電気的に接続されて、前記音声制御モジュールの正常状態或いは故障状態を知らせることを特徴とする、請求項１から４のいずれか一項に記載の音声制御モジュールを備えた省電力照明装置。
【請求項７】
前記省電力照明装置は状態指示ユニットをさらに備え、前記状態指示ユニットは、前記音声制御モジュールに設置され、且つ前記音声感知ユニットと前記駆動制御ユニットとに電気的に接続されて、前記音声制御モジュールの正常状態或いは故障状態を知らせることを特徴とする、請求項５に記載の音声制御モジュールを備えた省電力照明装置。
【考案の詳細な説明】
【技術分野】
【０００１】
本考案は、音声制御モジュールを備えた省電力照明装置に関し、ユーザーが発する音声制御指令を受信し、該音声制御指令に対応して光源のスイッチをオン或いはオフする省電力照明装置に関するものである。
【背景技術】
【０００２】
従来、音声制御機能を有する蛍光管或いは電球等の照明装置は、音声感知器がこの蛍光管或いは電球と共に取り付けられて１つの部品となっている。しかし、このうち１つの部品のみが損傷した場合、照明装置の全体を交換しなければならない。例えば、従来の蛍光管或いは電球はＬＥＤ発光部材によって形成され、ＬＥＤ発光部材は損傷しにくく、且つ使用寿命も長い。しかし、ＬＥＤ発光部材と、音声制御機能を有するＬＥＤ灯管或いはＬＥＤ電球とを組み立てて使用する際、一部の部材が損傷した場合、照明装置全体を交換しなければならないので、資源を浪費することとなりさらに環境も汚染してしまう。
【考案の概要】
【考案が解決しようとする課題】
【０００３】
以上の問題点に鑑みて、本考案は、音声制御モジュールが交換可能に設置され、且つユーザーが発する音声制御指令に対応して光源のスイッチをオン或いはオフする省電力照明装置を提供することを目的とする。
【課題を解決するための手段】
【０００４】
本考案の音声制御モジュールを備えた省電力照明装置は、挿込み溝が設けられ、挿込み溝にプリント基板のコネクタが収容される固定部材と、固定部材と組み合わさり、且つプリント基板と電気的に接続される光源と、連接部と、を備える。また、上記省電力照明装置は、連接部を挿込み溝に挿し込んで、連接部がコネクタと電気的に接続される音声制御モジュールと、音声制御モジュールに設置され、且つ音声制御指令を受信し、音声制御指令に対応して感知信号を送信する音声感知ユニットと、音声制御モジュールの内部に設置され、且つ音声感知ユニットと、連接部とにそれぞれ電気的に接続され、感知信号を受信し、且つ感知信号と対応する駆動信号を生成して、光源が駆動信号によって、対応して光源のスイッチをオン或いはオフする駆動制御ユニットと、を備える。
【考案の効果】
【０００５】
本考案に係る省電力照明装置は、音声制御モジュールを備え、音声制御モジュールは、交換可能に取り付けられるので、容易に音声制御モジュールを交換することができ、省電力照明装置全体を交換する必要はない。また、省電力照明装置は、ユーザーが発する音声制御指令を感知し、音声によって光源のスイッチをオン或いはオフするので、電源スイッチ或いはリモコンを必要とせず、生活の利便性を高めることができる。
【図面の簡単な説明】
【０００６】
【図１】本考案の第一実施形態に係る省電力照明装置の分解斜視図である。
【図２】図１に示した省電力照明装置の音声制御モジュールを固定部材の挿込み溝に挿し込んだ状態を示す斜視図である。
【図３】図２に示した省電力照明装置の断面図である。
【図４】本考案の第一実施形態に係る省電力照明装置の音声制御モジュール及び光源の構造図である。
【図５】本考案の第二実施形態に係る省電力照明装置の断面図である。
【図６】図５に示した省電力照明装置の音声制御モジュール及び光源の構造図である。
【考案を実施するための形態】
【０００７】
以下、図面に基づいて、本考案に係る音声制御モジュールを備えた省電力照明装置について詳細に説明する。
【０００８】
図１〜図４に示したように、本考案の第一実施形態に係る音声制御モジュールを備えた省電力照明装置１は、ユーザーが発する音声制御指令に対応して光源のスイッチをオン或いはオフする。省電力照明装置１は、固定部材１０と、光源２０と、音声制御モジュール３０と、音声感知ユニット４０と、駆動制御ユニット５０と、を備える。固定部材１０には挿込み溝１１が設けられ、固定部材１０に設置されたプリント基板１２のコネクタ１３は、この挿込み溝１１に収容される。光源２０は、固定部材１０と組み合わさり、且つプリント基板１２と電気的に接続される。音声制御モジュール３０は、連接部３１を備え、連接部３１を挿込み溝１１に挿し込むことで、コネクタ１３と電気的に接続される。音声感知ユニット４０は音声制御モジュール３０（図４を参照）に設置され、ユーザーが発する音声制御指令１００によって感知信号Ｓ１を送信する。駆動制御ユニット５０は、音声制御モジュール３０の内部に設置され、且つ音声感知ユニット４０と連接部３１とにそれぞれ電気的に接続され、感知信号Ｓ１を受信し、且つ該感知信号Ｓ１と対応する駆動信号Ｓ２を生成する。光源２０は、駆動信号Ｓ２によって、対応して光源のスイッチをオン或いはオフする。音声制御指令１００は、ユーザーが発生した声、拍手音或いは他の特定の音声である。
【０００９】
図４に示したように、本考案の第一実施形態に係る省電力照明装置１の音声感知ユニット４０は、マイクロホン４１、増幅器（Ａｍｐｌｉｆｉｅｒ）４２及び該増幅器４２と電気的に接続されるマイクロプロセッサ４３を備え、マイクロホン４１、増幅器４２、マイクロプロセッサ４３は共に組み立てられて電子回路を形成する。マイクロホン４１は、音声波形のエネルギーを電気エネルギーに変換する。マイクロホン４１の種類は、ダイナミックマイクロホン、コンデンサマイクロホン或いは圧電型マイクロホンの何れか１つである。増幅器４２はマイクロホン４１と接続され、入力信号Ｓ０は、図４に示したように、増幅器４２によって増幅された後フィルタされて入力信号Ｓ０’になる。マイクロプロセッサ４３は増幅器４２と接続され、入力信号をＳ０’を受信して感知信号Ｓ１を送信する。マイクロプロセッサ４３は、回路を介して音声識別等の処理を行う。
【００１０】
本考案の第一実施形態に係る省電力照明装置１の光源２０は、ＬＥＤ照明灯具（例えば、ＬＥＤ灯管或いはＬＥＤ電球である）である。駆動制御ユニット５０は、ＬＥＤ駆動制御ＩＣ（図示せず）を備え、ＬＥＤ駆動制御ＩＣは感知信号Ｓ１における駆動信号Ｓ２を生成し、対応して光源のスイッチをオン或いはオフする。
【００１１】
本考案の第一実施形態に係る省電力照明装置１は、着脱可能に設置された音声制御モジュール３０を備える。音声制御モジュール３０を固定部材１０の挿込み溝１１に挿し込むことで、省電力照明装置１は音声制御機能を有する。音声制御モジュール３０の中の音声感知ユニット４０及び駆動制御ユニット５０は独立しており（つまり、音声制御モジュール３０が固定部材１０から取り外されている状態）、蛍光管或いは電球等の単一光源のスイッチを制御する。
【００１２】
本実施形態において、省電力照明装置１は回路保護ユニット６０をさらに備え、回路保護ユニット６０は、音声制御モジュール３０の内部に設置されて、電流の異常、電圧の異常或いは光源２０が過熱した際、駆動制御ユニット５０と保護ユニット６０との間に短絡が発生して光源２０が損傷することを防止する。この際、回路保護ユニット６０はヒューズであり、回路を保護し、過負荷電流が光源２０に流れて、光源２０が損傷することを防止する。
【００１３】
本実施形態において、省電力照明装置１は、状態指示ユニット７０をさらに備える。状態指示ユニット７０は、音声制御モジュール３０に設置され、且つ音声感知ユニット４０と駆動制御ユニット５０とに電気的に接続されて、音声制御モジュール３０の正常状態或いは故障状態を知らせる。例えば、状態指示ユニット７０はＬＥＤ指示灯（図示せず）を備え、ＬＥＤ指示灯が表す色によって、音声制御モジュール３０の内部に設置された音声感知ユニット４０、駆動制御ユニット５０或いは他の回路部品が正常に作動している状態か或いは故障している状態かをユーザーに知らせる。これにより、ユーザーは、音声制御モジュール３０を修理或いは交換することができる。
【００１４】
本考案の第一実施形態に係る省電力照明装置１の音声制御モジュール３０は、薄片状或いは平板状を呈している。また、チップは挿込み式なので、ユーザーは当該チップを取り付けやすい。音声制御モジュール３０を固定部材１０の挿込み溝１１に挿し込むことで、省電力照明装置１は音声制御機能を持つ。また、光源２０が損傷にくいＬＥＤ照明灯具である際、音声制御モジュール３０は交換可能な部品であるので、損傷した音声制御モジュール３０のみを交換し、省電力照明装置１全体を交換する必要がないので、資源の浪費を防止できる。
【００１５】
図５〜図６に示したように、本考案の第二実施形態に係る省電力照明装置２の駆動制御ユニット５０’はＬＥＤ駆動制御ＩＣを備える。ＬＥＤ駆動制御ＩＣはＩＣ保護回路を備え、ＩＣ保護回路は、電流の異常、電圧の異常或いは光源２０が過熱した際、駆動制御ユニット５０’及びプリント基板１２との間に短絡が発生して、光源２０が損傷することを防止する。
【００１６】
本考案の第一実施形態と第二実施形態に係る省電力照明装置１、２は、過負荷電流の異常によって、光源２０が損傷することを防止する。例えば、給電電圧の異常と、プリント基板の電子部品或いは線路に発生した短絡と、複数のＬＥＤユニットの中の１つ或いは一部の損傷により発生した短絡によって発生した電圧或いは電流に異常がある際、光源２０が損傷することを防止する。また、省電力照明装置１、２は、光源２０が過熱して損傷することを防止して、ＬＥＤが熱度に敏感である特性によってＬＥＤの効能を低下させることを防止するので、第一実施形態と第二実施形態に係る省電力照明装置１、２は、耐用性に優れ、且つ使用寿命が長い。
【００１７】
本考案の第一実施形態と第二実施形態に係る省電力照明装置１、２は、音声制御モジュール３０を備え、音声制御モジュール３０は交換可能に取り付けられるので、容易に音声制御モジュール３０を交換することができ、省電力照明装置１全体を交換する必要はない。また、省電力照明装置１、２は、ユーザーが発する音声制御指令１００を感知し、音声によって光源のスイッチをオン或いはオフするので、電源スイッチ或いはリモコンを必要とせず、生活の利便性を高めることができる。
【００１８】
以上、本考案の好適な実施形態について詳細に説明したが、本考案は上記実施形態に限定されるものではなく、本考案の範囲内で種々の変形又は修正が可能であり、該変形又は修正も又、本考案の実用新案登録請求の範囲内に含まれるものであることは、言うまでもない。
【符号の説明】
【００１９】
１、２  省電力照明装置
１０  固定部材
１１  挿込み溝
１２  プリント基板
１３  コネクタ
２０  光源
３０  音声制御モジュール
３１  連接部
４０  音声感知ユニット
４１  マイクロホン
４２  増幅器
４３  マイクロプロセッサ
５０、５０’  駆動制御ユニット
６０  回路保護ユニット
７０  状態指示ユニット
１００  音声制御指令
Ｓ１  感知信号
Ｓ２  駆動信号
Ｓ０、Ｓ０’  入力信号
【図１】
0003186753.tif 000003
【図２】
0003186753.tif 000004
【図３】
0003186753.tif 000005
【図４】
0003186753.tif 000006
【図５】
0003186753.tif 000007
【図６】
0003186753.tif 000008